(57)【要約】  この発明に係る空気調和システムは、室外側制御装置を有する室外ユニットと、指示に基づいて機器の制御を行う室内側制御装置を有する複数台の室内ユニットと、室外ユニットと複数台の室内ユニットとの間をそれぞれ通信接続する複数の通信線と、リモコン制御装置を有し、室内ユニットとの間で、無線通信を行うリモートコントローラとを有する空気調和システムであって、室内ユニットは、室内ユニットを識別する識別番号の設定が行われる室内側設定装置を有し、室内側制御装置は、リモートコントローラから指示を含む信号が送られると、設定された識別信号に基づいて、機器の制御を行うかどうかを判定し、通信線を介して、指示を含む信号を、室外ユニットに送り、室外側制御装置は、通信線を介して送られた信号に含まれる識別信号に基づいて、指示対象の室内ユニットを判定し、指示対象の室内ユニットに、通信線を介して、指示を含む信号を送るものである。
2020054055.tif 000002
【特許請求の範囲】
【請求項１】
室外側制御装置を有する室外ユニットと、
指示に基づいて機器の制御を行う室内側制御装置を有する複数台の室内ユニットと、
前記室外ユニットと複数台の前記室内ユニットとの間をそれぞれ通信接続する複数の通信線と、
リモコン制御装置を有し、前記室内ユニットとの間で、無線通信を行うリモートコントローラとを有する空気調和システムであって、
前記室内ユニットは、前記室内ユニットを識別する識別番号の設定が行われる室内側設定装置を有し、
前記室内側制御装置は、前記リモートコントローラから前記指示を含む信号が送られると、設定された識別信号に基づいて、前記機器の制御を行うかどうかを判定し、前記通信線を介して、前記指示を含む信号を、前記室外ユニットに送り、
前記室外側制御装置は、前記通信線を介して送られた信号に含まれる前記識別信号に基づいて、指示対象の前記室内ユニットを判定し、前記指示対象の前記室内ユニットに、前記通信線を介して、前記指示を含む信号を送る空気調和システム。
【請求項２】
前記室内ユニットは、報知信号に基づいて報知を行う報知装置を備え、
前記室内側制御装置は、前記通信線を介して、前記室外ユニットから前記指示が送られると、報知信号を送って前記報知装置に報知させる請求項１に記載の空気調和システム。
【請求項３】
前記リモートコントローラは、前記指示対象となる前記室内ユニットが選択設定されるリモコン選択装置を有し、
前記リモートコントローラから送られる前記指示を含む信号には、前記リモコン選択装置において選択設定された前記室内ユニットの前記識別番号がデータとして含まれる請求項１または請求項２に記載の空気調和システム。
【請求項４】
前記リモコン選択装置は、切替スイッチである請求項３に記載の空気調和システム。
【請求項５】
前記リモートコントローラは、リモコン表示装置を有し、
前記リモコン制御装置は、前記室内ユニットから送られる信号に基づいて、複数の前記室内ユニットに係る状態の表示を、前記リモコン表示装置に行わせる請求項１〜請求項４のいずれか一項に記載の空気調和システム。
【請求項６】
３台以上の前記室内ユニットが、前記通信線により、前記室外ユニットと通信接続されている請求項１〜請求項５のいずれか一項に記載の空気調和システム。
【発明の詳細な説明】
【技術分野】
【０００１】
この発明は、空気調和システムに関するものである。特に、複数台の室内ユニットの制御に関するものである。
【背景技術】
【０００２】
近年、一般家庭においても、室外ユニットと複数台の室内ユニットとを配管接続して冷媒回路を構成して空気調和を行う、ハウジングエアコンと呼ばれるマルチ形空気調和システムが導入されている。室外ユニットと室内ユニットとを１対多で対応させることで、家全体における室外ユニットの設置スペースを少なくすることができる。ここで、複数台の室内ユニットは、それぞれ複数の部屋に設置されているものとする。【０００３】
このようなハウジングエアコンでは、一般的には、各部屋にあるリモートコントローラ（以下、リモコンという）を用いて、各部屋に設置された室内ユニットに指示を送り、室内ユニットを遠隔操作する。たとえば、Ａ室に設置された室内ユニットＡには、Ａ室内のリモコンＡから、指示を含む信号が送られる。家庭用の空気調和システムの場合、リモコンは、無線通信を行うワイヤレスリモコンであることが多い。【０００４】
ここで、ある部屋の室内ユニットを、別の部屋にいる人が遠隔操作しようとするときには、室外ユニットと室内ユニットとの間の通信システムとは別に、専用の集中リモコンを設置したリモコン制御システムを構築することが多い（たとえば、特許文献１参照）。そして、このようなリモコン制御システムによる通信を行うためには、室内ユニットまたは室外ユニットのいずれかと集中リモコンとを通信可能に接続した上で、室内ユニットと室外ユニットとの間に、新たな通信線を配線する必要があった。ここで、リモコン制御システムにおける集中リモコンは、有線で室内ユニットまたは室外ユニットと接続されることが多い。
【先行技術文献】
【特許文献】
【０００５】
【特許文献１】特開２００１−３２４１９２号公報
【発明の概要】
【発明が解決しようとする課題】
【０００６】
特許文献１などのリモコン制御システムのように、ある部屋のリモコンを用いて、他の部屋の室内ユニットを操作するには、通常用いられている室内ユニットと室外ユニットとの間の通信システムとは異なるシステムを構築する必要がある。そして、このような通信システムを構築するには、機器設置、配線などの施工が必要であった。【０００７】
この発明は、上記のような問題を解決するため、機器設置、配線などの施工を行わずに、ある部屋にいる人が、他の部屋に設置された室内ユニットの操作を行うことができる空気調和システムを得ることを目的とする。
【課題を解決するための手段】
【０００８】
前述した課題を解決するために、この発明の空気調和システムは、室外側制御装置を有する室外ユニットと、指示に基づいて機器の制御を行う室内側制御装置を有する複数台の室内ユニットと、室外ユニットと複数台の室内ユニットとの間をそれぞれ通信接続する複数の通信線と、リモコン制御装置を有し、室内ユニットとの間で、無線通信を行うリモートコントローラとを有する空気調和システムであって、室内ユニットは、室内ユニットを識別する識別番号の設定が行われる室内側設定装置を有し、室内側制御装置は、リモートコントローラから指示を含む信号が送られると、設定された識別信号に基づいて、機器の制御を行うかどうかを判定し、通信線を介して、指示を含む信号を、室外ユニットに送り、室外側制御装置は、通信線を介して送られた信号に含まれる識別信号に基づいて、指示対象の室内ユニットを判定し、指示対象の室内ユニットに、通信線を介して、指示を含む信号を送るものである。
【発明の効果】
【０００９】
この発明の空気調和システムにおいては、室内ユニットに識別番号が設定される。また、室内ユニットに送られる指示の信号には、指示を行う指示対象となる室内ユニットの識別番号が含まれる。そして、送られた信号内の識別番号に基づいて、ある室内ユニットから、通信線および室外ユニットを介して、任意の室内ユニットに指示を含む信号を送ることができる。
【図面の簡単な説明】
【００１０】
【図１】この発明の実施の形態１に係る空気調和システムの構成を示す図である。
【図２】この発明の実施の形態１に係る室外ユニット１００の構成を示す図である。
【図３】この発明の実施の形態１に係る室内ユニット２００の構成を示す図である。
【図４】この発明の実施の形態１に係るリモコン３００の構成を示す図である。
【図５】この発明の実施の形態１に係る空気調和システムの処理の流れを示す図である。
【図６】この発明の実施の形態２に係るリモコン３００における表示画面を示す図である。
【発明を実施するための形態】
【００１１】
以下、発明の実施の形態に係る空気調和システムについて、図面などを参照しながら説明する。各図面において、同一の符号を付したものは、同一またはこれに相当するものであり、以下に記載する実施の形態の全文において共通することとする。また、図面では、各構成部材の大きさの関係が、実際のものとは異なる場合がある。そして、明細書全文に表わされている構成要素の形態は、あくまでも例示であって、明細書に記載された形態に限定するものではない。特に、構成要素の組み合わせは、各実施の形態における組み合わせのみに限定するものではなく、他の実施の形態に記載した構成要素を別の実施の形態に適用することができる。また、圧力、温度などの高低については、特に絶対的な値との関係で高低が定まっているものではなく、装置などにおける状態、動作などにおいて相対的に定まるものとする。そして、添字で区別などしている複数の同種の機器などについて、特に区別したり、特定したりする必要がない場合には、添字などを省略して記載する場合がある。
【００１２】
実施の形態１．
図１は、この発明の実施の形態１に係る空気調和システムの構成を示す図である。ここでは、特に、空気調和システムの通信および制御系に関する構成を中心について説明する。ここで説明する空気調和システムは一例であって、この発明の空気調和システムは、図１に示すシステムに限定するものではない。
【００１３】
実施の形態１の空気調和システムは、複数の室内ユニット２００と室外ユニット１００とを配管４００で接続して冷媒回路を構成し、家中の空気調和を行う、いわゆるハウジングエアコンである。実施の形態１の空気調和システムは、図１に示すように、１台の室外ユニット１００と、３台の室内ユニット２００Ａ、室内ユニット２００Ｂおよび室内ユニット２００Ｃとが配管４００で接続されて構成される。ここで、各室内ユニット２００と室外ユニット１００との間の配管経路は独立しているものとする。複数台の室内ユニット２００は、家の中の複数個所に配置される。実施の形態１の空気調和システムにおいては、室内ユニット２００Ａ〜室内ユニット２００Ｃは、それぞれ異なる部屋に設置されているものとする。
【００１４】
図１に示すように、実施の形態１の空気調和システムでは、室外ユニット１００と各室内ユニット２００との間は、通信線５００によりそれぞれ接続され、それぞれ各種データを含む信号の通信を行うことができる。ここで、室外ユニット１００と室内ユニット２００Ａとの間は、通信線５００Ａで通信接続される。同様に、室外ユニット１００と室内ユニット２００Ｂとの間は、通信線５００Ｂで通信接続される。また、室外ユニット１００と室内ユニット２００Ｃとの間は、通信線５００Ｃで通信接続される。また、室内ユニット２００との間で、無線通信可能なリモコン３００を有する。
【００１５】
図２は、この発明の実施の形態１に係る室外ユニット１００の構成を示す図である。室外ユニット１００は、空気調和に係る動作系の機器として、圧縮機１１０、室外側熱交換器１２０、切替装置１３０、絞り装置１４０および室外側ファン１５０を有する。また、通信および制御系の機器として、室外側制御装置１６０、室外側通信装置１７０および室外側記憶装置１８０を有する。ここでは、室外側制御装置１６０、室外側通信装置１７０および室外側記憶装置１８０を、それぞれ独立した機器とするが、たとえば、これらの機器を、基板上に設置された１台の制御装置として構成してもよい。
【００１６】
圧縮機１１０は、吸入した冷媒を圧縮し、駆動周波数に基づく圧力で吐出する。また、室外側熱交換器１２０は、熱交換器内を通過する冷媒と屋外の空気との熱交換を行う。室外側ファン１５０は、室外側熱交換器１２０に屋外の空気を送る。切替装置１３０は、暖房運転または冷房運転によって、冷媒流路を切り替える四方弁などの装置である。絞り装置１４０は、各室内ユニット２００に対応して設置される。このため、図２に示すように、実施の形態１の室外ユニット１００は、３台の室内ユニット２００に対応した、３つの絞り装置１４０Ａ、絞り装置１４０Ｂおよび絞り装置１４０Ｃを有する。絞り装置１４０は、弁を有し、室外側制御装置１６０の指示に基づいて、弁の開度を調整して、室内ユニット２００に送る冷媒の流量および圧力を調整する。
【００１７】
一方、実施の形態１の室外側制御装置１６０は、室外ユニット１００が有する機器の制御などを行う。特に、実施の形態１の室外側制御装置１６０は、各室内ユニット２００の間で行われる指示に係る信号の中継に関する処理を行う。実施の形態１の室外側制御装置１６０は、制御処理部１６１と指示処理部１６２とを有する。制御処理部１６１は、室外ユニット１００に設置された検出装置（図示せず）からの信号、各室内ユニット２００から送られる信号などに基づいて、室外ユニット１００が有する機器の動作を制御する処理を行う。また、指示処理部１６２は、各室内ユニット２００から送られる信号を処理して、ある室内ユニット２００から送られた信号が、他の室内ユニット２００への指示を含む信号であると判定すると、他の室内ユニット２００に指示を送る処理を行う。
【００１８】
室外側通信装置１７０は、通信線５００と接続され、通信線５００と室外側制御装置１６０との間における信号通信のインターフェースとなり、各種信号の送信および受信を行う。また、室外側記憶装置１８０は、室外側制御装置１６０が処理を行うために必要となるデータを一時的または長期的に記憶する。ここでは、特に、各室内ユニット２００に付された識別番号のデータを記憶する。
【００１９】
ここで、室外側制御装置１６０は、通常、たとえば、ＣＰＵ（Ｃｅｎｔｒａｌ  Ｐｒｏｃｅｓｓｉｎｇ  Ｕｎｉｔ）を中心とするコンピュータなどの制御演算処理を行う装置で構成されている。そして、室外側制御装置１６０は、各部が行う処理の手順を、あらかじめプログラム化しておき、そのプログラムを実行して、各部の処理を実現する。ここで、たとえば、室外側記憶装置１８０が、プログラムのデータを有する。ただし、処理の実現をプログラムの実行だけに限定するものではなく、各部を別個に専用機器で構成して、実現してもよい。また、室外側記憶装置１８０は、データを一時的に記憶できるランダムアクセスメモリ（ＲＡＭ）などの揮発性記憶装置（図示せず）およびハードディスク、データを長期的に記憶できるフラッシュメモリなどの不揮発性の補助記憶装置（図示せず）を有する。
【００２０】
図３は、この発明の実施の形態１に係る室内ユニット２００の構成を示す図である。室内ユニット２００は、空気調和に係る動作系の機器として、室内側熱交換器２１０および室内側ファン２２０を有する。また、通信および制御系の機器として、室内側制御装置２３０、室内側通信装置２４０、室内側記憶装置２５０、室内側報知装置２６０および室内側設定装置２７０を有する。ここでは、室内側制御装置２３０、室内側通信装置２４０、室内側記憶装置２５０、室内側報知装置２６０および室内側設定装置２７０を、それぞれ独立した機器とするが、たとえば、これらの機器を、１台の制御装置として構成してもよい。
【００２１】
室内側熱交換器２１０は、熱交換器内を通過する冷媒と室内の空気との熱交換を行う。室内側ファン２２０は、室内側熱交換器２１０に室内の空気を送って通過させ、室内側熱交換器２１０を通過した空気を室内に送る。
【００２２】
室内側制御装置２３０は、室内ユニット２００が有する機器の制御などを行う。また、室内ユニット２００は、リモコン３００から送られる信号に含まれる指示に加え、通信線５００を介して、室外ユニット１００から送られる信号に含まれる指示に基づいて、室内ユニット２００の動作に関する処理を行う。ここで、実施の形態１の室内側制御装置２３０では、送られた信号に基づいて判定を行い、自身が搭載された室内ユニット２００への指示ではないと判定した場合には、指示を含む信号を室外ユニット１００側へ送って指示に基づく機器の制御を行わない。
【００２３】
室内側通信装置２４０は、有線通信装置２４１および無線通信装置２４２を有する。有線通信装置２４１は、各通信線５００と接続され、通信線５００と室内側制御装置２３０との間における信号通信のインターフェースとなり、室外側制御装置１６０との間で、各種信号の送信および受信を行う。一方、無線通信装置２４２は、室内側制御装置２３０とリモコン３００との間における信号通信のインターフェースとなり、各種信号の送信および受信を行う。
【００２４】
また、室内側記憶装置２５０は、室外側記憶装置１８０と同様に、揮発性記憶装置（図示せず）および不揮発性の補助記憶装置（図示せず）を有する。そして、室内側制御装置２３０が処理を行うために必要となるデータを一時的または長期的に記憶する。実施の形態１の室内側記憶装置２５０は、特に、設定された識別番号のデータを記憶する。
【００２５】
室内側報知装置２６０は、室内側制御装置２３０からの報知信号に基づいて、動作を行ったことを室内に報知する。報知の方法および報知の内容に関しては、特に限定するものではない。室内側報知装置２６０は、絵または文字などの表示、発光表示などの視覚による報知、音声またはブザーなどによる聴覚による報知などを行うことができる。また、室内側設定装置２７０は、室内ユニット２００の識別番号の設定を行うための装置である。特に限定するものではないが、室内側設定装置２７０は、ジャンパーピンまたはディップスイッチなどにより設定される。ここで、実施の形態１の空気調和システムにおいては、室内ユニット２００Ａは、識別番号「１」が設定されるものとする。同様に、室内ユニット２００Ｂは、識別番号「２」が設定される。また、室内ユニット２００Ｃは、識別番号「３」が設定される。
【００２６】
図４は、この発明の実施の形態１に係るリモコン３００の構成を示す図である。実施の形態１のリモコン３００は、リモコン制御装置３１０、指示入力装置３２０、リモコン通信装置３３０、リモコン表示装置３４０およびリモコン選択装置３５０を有する。指示入力装置３２０は、ボタンなどを有し、運転開始もしくは停止、温度または風量などの指示が入力される。入力された指示はリモコン制御装置３１０に送られる。リモコン通信装置３３０は、リモコン制御装置３１０から送られる指示に係る信号を発信する。特に限定するものではないが、実施の形態１のリモコン通信装置３３０は、赤外線で信号を発信する。
【００２７】
リモコン表示装置３４０は、リモコン制御装置３１０から送られる表示信号に基づいて、設定温度または風量設定などの表示を行う。また、リモコン選択装置３５０は、指示対象の室内ユニット２００の選択設定を行うための装置である。実施の形態１のリモコン選択装置３５０は、切替スイッチを有する。指示者は、切替スイッチを切り替えて、指示対象となる各室内ユニット２００を選択設定する。切替スイッチで切り替えることで、選択設定が行いやすくなる。
【００２８】
そして、リモコン制御装置３１０は、リモコン３００全体の制御を行う。特に、実施の形態１においては、指示入力装置３２０において入力された指示に、リモコン選択装置３５０によって選択された識別番号を付して、リモコン通信装置３３０に送る。ここで、実施の形態１では、リモコン３００が、リモコン制御装置３１０を有するものとして説明するが、これに限定するものではない。指示入力装置３２０、リモコン通信装置３３０、リモコン表示装置３４０およびリモコン選択装置３５０が、リモコン制御装置３１０が行う機能を分担するようにしてもよい。
【００２９】
ハウジングエアコンなどに代表される空気調和システムでは、従来、リモコンからの指示は、その指示を受けた室内ユニットの室内側制御装置が、自身が搭載された室内ユニットへの指示として指示に基づく処理を行い、動作を行うものであった。実施の形態１の空気調和システムは、リモコン３００から送る指示の信号に、指示対象となる室内ユニット２００の識別番号のデータを含める。そして、信号を受けた室内ユニット２００は、通信線５００を介して、室外ユニット１００に信号を送る。室外ユニット１００は、通信線５００を介して、指示対象となる室内ユニット２００に信号を送る。室内ユニット２００は、受けた指示に基づいて処理を行い、動作する。指示の信号に、室内ユニット２００の識別番号のデータを含めることにより、リモコン３００からの指示を、信号を受信した室内ユニット２００および室外ユニット１００を介して、指示対象の室内ユニット２００に送ることができる。
【００３０】
図５は、この発明の実施の形態１に係る空気調和システムの処理の流れを示す図である。ここでは、指示者がリモコン３００を用いて、室内ユニット２００Ａを介して、室内ユニット２００Ｃに指示を送って遠隔操作する場合を例にして説明する。指示者は、リモコン選択装置３５０において、室内ユニット２００Ｃに対応する識別番号を選択設定し、指示入力装置３２０を介して指示を入力する（ステップＳ１）。リモコン制御装置３１０は、入力された指示に識別番号を付して、リモコン通信装置３３０に送る（ステップＳ２）。リモコン通信装置３３０は、指示を含む信号を室内ユニット２００Ａに送る（ステップＳ３）。
【００３１】
室内ユニット２００Ａ側の処理は、室内側制御装置２３０Ａが行う。室内側制御装置２３０Ａは、無線通信装置２４２を介して、リモコン３００からの信号を受けると、信号内の識別番号に基づいて、自身が搭載された室内ユニット２００への指示であるかどうかを判定する（ステップＳ１１）。室内側制御装置２３０Ａは、自身が搭載された室内ユニット２００への指示であると判定すると、指示に基づいて、冷媒回路系の機器を動作させる（ステップＳ１２）。また、室内側制御装置２３０Ａは、送られた信号を、有線通信装置２４１を介して、室外ユニット１００側に送る（ステップＳ１３）。また、たとえば、風速または風向などは、室内側制御装置２３０Ａが、室内ユニット２００内の冷媒回路系の機器を制御して動作させる。ただ、室外ユニット１００側において、各室内ユニット２００の風速または風向なども、冷媒回路を制御するデータとして用いる。このため、室内側制御装置２３０Ａが、動作制御を行う機器への指示であっても、室外ユニット１００側に信号を送る。
【００３２】
一方、ステップＳ１１において、室内側制御装置２３０Ａは、他の室内ユニット２００への指示であると判定すると、送られた信号を、有線通信装置２４１を介して、室外ユニット１００側に送る（ステップＳ１３）。実施の形態１の空気調和システムは、ハウジングエアコンである。このため、室内ユニット２００間において、直接通信線５００が直接接続されていないことが多い。そこで、本システムでは、指示対象の室内ユニット２００に、室外ユニット１００を介して、指示を送る。
【００３３】
室外ユニット１００側の処理は、室外側制御装置１６０が行う。特に、指示処理部１６２が主となって処理を行う。室外側制御装置１６０は、室外側通信装置１７０を介して、室内ユニット２００からの信号を受けると、信号に含まれる識別信号に基づいて、指示対象の室内ユニット２００を判定する（ステップＳ２１）。そして、室外側制御装置１６０は、判定した室内ユニット２００に対し、室外側通信装置１７０および通信線５００を介して、指示に係る信号を送る（ステップＳ２２）。ここで、室外側制御装置１６０は、判定した指示対象の室内ユニット２００が、信号を送った室内ユニット２００Ａであると判定した場合には、信号を送らない。
【００３４】
指示対象の室内ユニット２００である室内ユニット２００Ｃにおいて、室内側制御装置２３０Ｃは、通信線５００および有線通信装置２４１を介して送られた指示に基づいて、機器を制御する（ステップＳ３１）。このとき、室内側制御装置２３０Ｃは、報知信号を送信して、動作を行う旨を室内側報知装置２６０に報知させる（ステップＳ３２）。
【００３５】
以上のように、実施の形態１の空気調和システムによれば、リモコン３００にリモコン選択装置３５０を有し、指示対象となる室内ユニット２００を選択設定できるようにした。そして、指示を含む信号には、指示対象の室内ユニット２００の識別番号に関するデータを含めて、リモコン３００、室内ユニット２００および室外ユニット１００の間の通信を、通信線５００を介して行えるようにした。このため、集中リモコンなどの通信機器を設置する、配線を設置するなど、新たなハードウェアを追加することなく、ある室内ユニット２００から指示を含む信号を送ることができ、指示対象となる室内ユニット２００への指示を行うことができる。たとえば、ある部屋においてリモコン３００を介して行われた他の部屋に設置された室内ユニット２００に対する動作の指示を、ある部屋の室内ユニット２００、室外ユニット１００および通信線５００を介して行うことができる。
【００３６】
たとえば、室内ユニット２００が２台であれば、識別番号が設定されなくても、各室内ユニット２００は、自身への指示ではなければ、指示対象を特定しやすい。したがって、実施の形態１のシステムは、３台以上の室内ユニットを有する空気調和システムに対して、特に有効である。
【００３７】
実施の形態２．
図６は、この発明の実施の形態２に係るリモコン３００における表示画面を示す図である。実施の形態２の空気調和システムは、リモコン３００が室内ユニット２００からの信号を受けることができる場合に、リモコン３００のリモコン表示装置３４０において、他の室内ユニット２００の状態に関する表示を行うものである。ここで、実施の形態２の空気調和システムは、実施の形態１で説明した図１のシステムと同じ構成であるものとして説明する。
【００３８】
図６では、３台の室内ユニット２００について、冷房または暖房の別および設定温度が表示されている。さらに、図６に示すように、識別番号が「１」の室内ユニット２００Ａの表示部分が最も大きく、冷房または暖房の別および設定温度だけでなく、風向および風速などが表示されている。基本的には、直接的に通信を行っている同じ部屋の室内ユニット２００の状態を大きく表示するが、指示入力装置３２０を介して指示を入力することで、大きく表示する室内ユニット２００を入れ替えることもできる。
【００３９】
以上のように、実施の形態２の空気調和システムによれば、室内ユニット２００とリモコン３００との間で双方向の通信を行うことができる。このため、室内ユニット２００側からリモコン３００側に、他の室内ユニット２００の状態をデータとして含む信号を送り、リモコン３００のリモコン表示装置３４０に表示させることができる。このため、指示者が、他の室内ユニット２００が設置された部屋の状態などを容易に把握することができ、リモコン３００を操作して指示が行いやすい。
【００４０】
実施の形態３．
上述した実施の形態１においては、リモコン３００のリモコン選択装置３５０は切替スイッチを有するものであったが、これに限定するものではない。たとえば、リモコン制御装置３１０が、リモコン選択装置３５０として機能するようにしてもよい。そして、リモコン制御装置３１０は、指示者が指示入力装置３２０に入力した指示に基づいて、指示対象の室内ユニット２００を選択設定し、リモコン制御装置３１０が有する記憶装置に指示対象の室内ユニット２００を記憶する処理を行ってもよい。
【符号の説明】
【００４１】
１００  室外ユニット、１１０  圧縮機、１２０  室外側熱交換器、１３０  切替装置、１４０，１４０Ａ，１４０Ｂ，１４０Ｃ  絞り装置、１５０  室外側ファン、１６０  室外側制御装置、１６１  制御処理部、１６２  指示処理部、１７０  室外側通信装置、１８０  室外側記憶装置、２００，２００Ａ，２００Ｂ，２００Ｃ  室内ユニット、２１０  室内側熱交換器、２２０  室内側ファン、２３０  室内側制御装置、２３０Ａ，２３０Ｃ  室内側制御装置、２４０  室内側通信装置、２４１  有線通信装置、２４２  無線通信装置、２５０  室内側記憶装置、２６０  室内側報知装置、２７０  室内側設定装置、３００  リモコン、３１０  リモコン制御装置、３２０  指示入力装置、３３０  リモコン通信装置、３４０  リモコン表示装置、３５０  リモコン選択装置、５００，５００Ａ，５００Ｂ，５００Ｃ  通信線。
【図１】
2020054055.tif 000003
【図２】
2020054055.tif 000004
【図３】
2020054055.tif 000005
【図４】
2020054055.tif 000006
【図５】
2020054055.tif 000007
【図６】
2020054055.tif 000008
【国際調査報告】
2020054055.tif 000009
2020054055.tif 000010
2020054055.tif 000011
2020054055.tif 000012
2020054055.tif 000013
2020054055.tif 000014